【手続補正書】
【提出日】平成26年5月2日(2014.5.2)
【手続補正１】
【補正対象書類名】特許請求の範囲
【補正対象項目名】全文
【補正方法】変更
【補正の内容】
【特許請求の範囲】
【請求項１】
遊技状態に応じて駆動する駆動部と、
前記駆動部と連繋され、前記駆動部が駆動することで回動する軸部材と、
前記軸部材に連結され、前記軸部材の回動状態に応じて第一形態から第二形態へと形態を変えることが可能な、少なくとも一つの装飾体を有する形態変化部材と、
前記装飾体に第一シャフトと第二シャフトを設け、前記第一シャフトと前記第二シャフトがスライド可能にそれぞれ対応した第一スライド部と第二スライド部を有するベース部材と、
を備え、
前記第一スライド部は前記軸部材が第一方向に回動した際に前記第一シャフトが前記第一方向と同方向にスライドするように構成される一方、前記第二スライド部は前記軸部材が第一方向に回動した際に前記第二シャフトが前記第一方向とは異なる第二方向にスライドするように構成され、
前記軸部材が前記第一方向に回動することに伴って、前記第一シャフトが前記第一スライド部を前記第一方向にスライドするとともに前記第二シャフトが前記第二スライド部を前記第二方向にスライドすることで、前記形態変化部材が第一形態から前記第二形態へと変化するように構成され、
前記軸部材が前記第一方向に回動することに伴って、前記第一シャフトが前記第一スライド部を前記第一方向にスライドするとともに前記第二シャフトが前記第二スライド部を前記第二方向にスライドしている間は、前記ベース部材は回動しないように構成されていることを特徴とする遊技機。
【請求項２】
前記第一シャフトが前記第一スライド部を前記第一方向にスライドするとともに前記第二シャフトが前記第二スライド部を前記第二方向に前記第一シャフトとの間隔を保持しながらスライドすることで、前記装飾体の前記第一シャフト側が前記軸部材を中心とした円周上を移動しながら前記装飾体の前記第二シャフト側が前記第二方向に移動して、前記形態変化部材が前記第一形態から前記第二形態へと変化することを特徴とする請求項１に記載の遊技機。
【請求項３】
前記第一スライド部の形状と前記第二スライド部の形状とは異なることを特徴とする請求項１または請求項２に記載の遊技機。
【請求項４】
前記第二スライド部は、前記第二方向が前記軸部材の中心側から外側に向かう直線状になるように形成されていることを特徴とする請求項３に記載の遊技機。
【請求項５】
前記第二スライド部は、前記第二方向が前記軸部材を中心とした円に直交しないように形成されていることを特徴とする請求項４に記載の遊技機。
【請求項６】
前記形態変化部材は、複数の前記装飾体から構成され、
前記複数の装飾体の各第一シャフトは、前記軸部材を中心とした円周上を前記第一方向にスライド可能に構成されていることを特徴とする請求項１から請求項５のいずれか一項に記載の遊技機。
【請求項７】
前記複数の装飾体は、それぞれ上部装飾体と、前記上部装飾体と連結した下部装飾体で構成されており、
前記形態変化部材が前記第一形態にあるときには、前記上部装飾体はそれぞれ隣り合う前記下部装飾体と重なっていることを特徴とする請求項６に記載の遊技機。
【請求項８】
前記形態変化部材が前記第一形態にあるときには、前記第一シャフトおよび前記第二シャフトは、それぞれ前記第一スライド部および前記第二スライド部の一端にあり、
前記形態変化部材が前記第二形態にあるときには、前記第一シャフトおよび前記第二シャフトは、それぞれ前記第一スライド部および前記第二スライド部の他端にあることを特徴とする請求項１から請求項７のいずれか一項に記載の遊技機。
【請求項９】
前記形態変化部材が前記第一形態から前記第二形態へと変化する際は、前記第一シャフトおよび前記第二シャフトは、それぞれ前記第一スライド部および前記第二スライド部を同時にスライドすることを特徴とする請求項１から請求項８のいずれか一項に記載の遊技機。
【請求項１０】
前記形態変化部材が前記第一形態にあるときには、前記装飾体の全部が前記ベース部材の外縁よりも内側にあり、
前記形態変化部材が前記第二形態にあるときには、前記装飾体の一部が前記ベース部材の外縁よりも外側に突出することを特徴とする請求項１から請求項９のいずれか一項に記載の遊技機。
【請求項１１】
前記形態変化部材が前記第一形態から前記第二形態へと変化した後に、前記第一シャフトが前記第一スライド部の端部あるいは前記第二シャフトが前記第二スライド部の端部を前記第一方向に押圧することで、前記ベース部材を前記第一方向に回動させることを特徴とする請求項１から請求項１０のいずれか一項に記載の遊技機。
【請求項１２】
前記ベース部材には、第一ロック部が設けられ、
前記ベース部材の後方には、前記第一ロック部と対になる第二ロック部が設けられており、
前記形態変化部材が前記第二形態にあるときに、前記軸部材を前記第一方向の反対方向に回動させると、前記ロック部同士が噛み合うことにより前記ベース部材の前記第一方向の反対方向への回動が規制されて、前記第一シャフトが前記第一スライド部を前記第一方向の反対方向にスライドするとともに前記第二シャフトが前記第二スライド部を前記第二方向の反対方向にスライドすることにより、前記形態変化部材が前記第二形態から前記第一形態へと変化することを特徴とする請求項１から請求項１１のいずれか一項に記載の遊技機。
【請求項１３】
前記ベース部材の後方には、発光部が設けられており、
前記ベース部材には、複数の反射部と複数の開口部が形成されていることを特徴とする請求項１から請求項１２のいずれか一項に記載の遊技機。
【請求項１４】
遊技状態に応じて駆動する駆動部と、
前記駆動部と連結され、前記駆動部が駆動することで回動可能な軸部材と、
前記軸部材に連結され、前記軸部材の回動状態に応じて第一形態から第二形態へと形態を変えることが可能な、複数の装飾体を有する形態変化部材と、
前記複数の装飾体のそれぞれに第一シャフトと第二シャフトを設け、前記複数の装飾体の前記第一シャフトと前記第二シャフトがスライド可能にそれぞれ対応した複数の第一スライド部と複数の第二スライド部を有するベース部材と、
を備え、
前記複数の第一スライド部は前記軸部材が第一方向に回動した際に前記複数の装飾体の前記第一シャフトが前記第一方向と同方向にスライドするように構成される一方、前記複数の第二スライド部は前記軸部材が第一方向に回動した際に前記複数の装飾体の前記第二シャフトが前記第一方向とは異なる第二方向にスライドするように構成され、
前記軸部材が前記第一方向に回動することに伴って、前記複数の装飾体の前記第一シャフトがそれぞれ対応した前記複数の第一スライド部を前記第一方向にスライドするとともに前記複数の装飾体の前記第二シャフトがそれぞれ対応した前記複数の第二スライド部を前記第二方向にスライドすることで、前記形態変化部材が第一形態から前記第二形態へと変化するように構成され、
前記軸部材が前記第一方向に回動することに伴って、前記第一シャフトが前記第一スライド部を前記第一方向にスライドするとともに前記第二シャフトが前記第二スライド部を前記第二方向にスライドしている間は、前記ベース部材は回動しないように構成されていることを特徴とする遊技機。
【手続補正２】
【補正対象書類名】明細書
【補正対象項目名】０００６
【補正方法】変更
【補正の内容】
【０００６】
上記課題を解決するためになされた請求項１の発明にかかる遊技機は、遊技状態に応じて駆動する駆動部と、前記駆動部と連結され、前記駆動部が駆動することで回動する軸部材と、前記軸部材に連結され、前記軸部材の回動状態に応じて第一形態から第二形態へと形態を変えることが可能な、少なくとも一つの装飾体を有する形態変化部材と、前記装飾体に第一シャフトと第二シャフトを設け、前記第一シャフトと前記第二シャフトがそれぞれスライド可能に対応した第一スライド部と第二スライド部を有するベース部材と、を備え、前記第一スライド部は前記軸部材が第一方向に回動した際に前記第一シャフトが前記第一方向と同方向にスライドするように構成される一方、前記第二スライド部は前記軸部材が第一方向に回動した際に前記第二シャフトが前記第一方向とは異なる第二方向にスライドするように構成され、前記軸部材が前記第一方向に回動することに伴って、前記第一シャフトが前記第一スライド部を前記第一方向にスライドするとともに前記第二シャフトが前記第二スライド部を前記第二方向にスライドすることで、前記形態変化部材が第一形態から前記第二形態へと変化するように構成され、前記軸部材が前記第一方向に回動することに伴って、前記第一シャフトが前記第一スライド部を前記第一方向にスライドするとともに前記第二シャフトが前記第二スライド部を前記第二方向にスライドしている間は、前記ベース部材は回動しないように構成されていることを要旨とする。
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】変更
【補正の内容】
【００１８】
請求項１１に記載の発明は、請求項１から請求項１０のいずれか一項に記載の遊技機において、前記形態変化部材が前記第一形態から前記第二形態へと変化した後に、前記第一シャフトが前記第一スライド部の端部あるいは前記第二シャフトが前記第二スライド部の端部を前記第一方向に押圧することで、前記ベース部材を前記第一方向に回動させることを特徴とする。
【手続補正６】
【補正対象書類名】明細書
【補正対象項目名】００１９
【補正方法】変更
【補正の内容】
【００１９】
請求項１２に記載の発明は、請求項１から請求項１１のいずれか一項に記載の発明において、前記ベース部材には、第一ロック部が設けられ、前記ベース部材の後方には、前記第一ロック部と対になる第二ロック部が設けられており、前記形態変化部材が前記第二形態にあるときに、前記軸部材を前記第一方向の反対方向に回動させると、前記ロック部同士が噛み合うことにより前記ベース部材の前記第一方向の反対方向への回動が規制されて、前記第一シャフトが前記第一スライド部を前記第一方向の反対方向にスライドするとともに前記第二シャフトが前記第二スライド部を前記第二方向の反対方向にスライドすることにより、前記形態変化部材が前記第二形態から前記第一形態へと変化するところに特徴を有する。
【手続補正７】
【補正対象書類名】明細書
【補正対象項目名】００２０
【補正方法】変更
【補正の内容】
【００２０】
請求項１３に記載の発明は、請求項１から請求項１２のいずれか一項に記載の遊技機において、前記ベース部材の後方には、発光部が設けられており、前記ベース部材には、複数の反射部と複数の開口部が形成されているところに特徴を有する。
【手続補正８】
【補正対象書類名】明細書
【補正対象項目名】００２１
【補正方法】変更
【補正の内容】
【００２１】
一方、上記課題を解決するためになされた請求項１４の発明にかかる遊技機は、遊技状態に応じて駆動する駆動部と、前記駆動部と連結され、前記駆動部が駆動することで回動可能な軸部材と、前記軸部材に連結され、前記軸部材の回動状態に応じて第一形態から第二形態へと形態を変えることが可能な、複数の装飾体を有する形態変化部材と、前記複数の装飾体のそれぞれに第一シャフトと第二シャフトを設け、前記複数の装飾体の前記第一シャフトと前記第二シャフトがそれぞれスライド可能に対応した複数の第一スライド部と複数の第二スライド部を有するベース部材と、を備え、前記複数の第一スライド部は前記軸部材が第一方向に回動した際に前記複数の装飾体の前記第一シャフトが前記第一方向と同方向にスライドするように構成される一方、前記複数の第二スライド部は前記軸部材が第一方向に回動した際に前記複数の装飾体の前記第二シャフトが前記第一方向とは異なる第二方向にスライドするように構成され、前記軸部材が前記第一方向に回動することに伴って、前記複数の装飾体の前記第一シャフトがそれぞれ対応した前記複数の第一スライド部を前記第一方向にスライドするとともに前記複数の装飾体の前記第二シャフトがそれぞれ対応した前記複数の第二スライド部を前記第二方向にスライドすることで、前記形態変化部材が第一形態から前記第二形態へと変化するように構成され、前記軸部材が前記第一方向に回動することに伴って、前記第一シャフトが前記第一スライド部を前記第一方向にスライドするとともに前記第二シャフトが前記第二スライド部を前記第二方向にスライドしている間は、前記ベース部材は回動しないように構成されているところに特徴を有する。
【手続補正９】
【補正対象書類名】明細書
【補正対象項目名】００２２
【補正方法】変更
【補正の内容】
【００２２】
請求項１に記載の発明によれば、形態変化部材が第一形態から第二形態へと変化する際、第一シャフトは第一スライド部を第一方向にスライドし、これに併せて第二シャフトは第二スライド部を第二方向にスライドするため、スライドする部材（第一シャフトおよび第二シャフト）にかかる負荷を抑制することが可能である。
また、形態変化部材の形態が変化する際、駆動部（軸部材）の動力は装飾体の動きとしてのみ出力されるから、第一シャフトや第二シャフトにかかる負荷を抑制することが可能となる。
【手続補正１０】
【補正対象書類名】明細書
【補正対象項目名】００３２
【補正方法】削除
【補正の内容】
【手続補正１１】
【補正対象書類名】明細書
【補正対象項目名】００３３
【補正方法】削除
【補正の内容】
【手続補正１２】
【補正対象書類名】明細書
【補正対象項目名】００３４
【補正方法】変更
【補正の内容】
【００３４】
請求項１１に記載の発明によれば、形態変化部材を第二形態に変化させた後、ベース部材をこの第二形態となった形態変化部材とともに回動させる演出を提供することが可能となる。
【手続補正１３】
【補正対象書類名】明細書
【補正対象項目名】００３５
【補正方法】変更
【補正の内容】
【００３５】
形態変化部材を第二の形態から第一の形態に変化させる（戻す）際には、ベース部材の回動（空回り）を規制する必要があるところ、請求項１２に記載の発明のように、第一方向の反対方向にベース部を回動させたとき（回動させようとしたとき）に第一のロック部と第二のロック部との噛み合いによってベース部の回動が規制される構成とすれば、当該ロック部にかかる負荷を抑制することが可能となる。なお、例えば、上記特許文献１に記載の構成であれば、回動ロック機構（３１２６）のロック片（３１２８ａ）でベース部材の第一方向への回動を直接停止させる構成であるため、ロック部（ロック片）にかかる負荷が大きく、ロック部が破損してしまうおそれがあるが、本請求項にかかる遊技機はこのようなおそれはない。
【手続補正１４】
【補正対象書類名】明細書
【補正対象項目名】００３６
【補正方法】変更
【補正の内容】
【００３６】
請求項１３に記載の発明によれば、ベース部材に形成された複数の反射部により、後方の発光部から出射された光をあらゆる方向に拡散させることが可能となる。また、ベース部材に複数の開口部が形成されているから、反射部によって拡散された光は開口部を通過して、ベース部材の外縁付近を照らす。例えば、上述したような装飾体の少なくとも一部をベース部材の外縁より外側に突出させるように形態変化部材を変化させる構成とするのであれば、当該突出した装飾体の一部をも照らすことが可能となる。
【手続補正１５】
【補正対象書類名】明細書
【補正対象項目名】００３７
【補正方法】変更
【補正の内容】
【００３７】
請求項１４に記載の発明によれば、形態変化部材が第一形態から第二形態へと変化する際、第一シャフトは第一スライド部を第一方向にスライドし、これに併せて第二シャフトは第二スライド部を第二方向にスライドするため、スライドする部材（第一シャフトおよび第二シャフト）にかかる負荷を抑制することが可能である。
また、形態変化部材の形態が変化する際、駆動部（軸部材）の動力は装飾体の動きとしてのみ出力されるから、第一シャフトや第二シャフトにかかる負荷を抑制することが可能となる。